(57)【特許請求の範囲】
【請求項１】
複数の樹脂製のレンズを収納する樹脂製のレンズ収納ケースにおいて、
該レンズ収納ケース内面の一方のレンズ光学面側に対する面に設けられ、レンズの光学面以外の面と接触する凸形状のレンズ受けの面、及び該レンズ収納ケース内面の他方のレンズ光学面側のレンズの光学面以外の面と接触する面をマット状面としたことを特徴とするレンズ収納ケース。
【請求項２】
前記レンズ収納ケースは、レンズを収納する少なくとも１つの筒状部を有し、前記マット状面は、該筒状部若しくは筒状部の各々の内面に形成されることを特徴とする請求項１に記載のレンズ収納ケース。
【請求項３】
前記マット状面は、深さ１〜１００μｍ、凹凸間隔０．０５〜１ｍｍのマット状面であることを特徴とする請求項１又は２に記載のレンズ収納ケース。
【請求項４】
複数の樹脂製のレンズを収納する樹脂製のレンズ収納ケースにレンズを収納したレンズ収納ケースであって、
該レンズ収納ケース内面の一方のレンズ光学面側に対する面に設けられ、レンズの光学面以外の面と接触する凸形状のレンズ受けの面、及び該レンズ収納ケース内面の他方のレンズ光学面側のレンズの光学面以外の面と接触する面をマット状面とした収納ケースにレンズを収納したことを特徴とするレンズを収納したレンズ収納ケース。
【請求項５】
前記レンズ収納ケースは、レンズを収納する少なくとも１つの筒状部を有し、前記マット状面は、該筒状部若しくは筒状部の各々の内面に形成されることを特徴とする請求項４に記載のレンズを収納したレンズ収納ケース。
【請求項６】
前記マット状面は、深さ１〜１００μｍ、凹凸間隔０．０５〜１ｍｍのマット状面であることを特徴とする請求項４又は５に記載のレンズを収納したレンズ収納ケース。
【発明の詳細な説明】
【０００１】
【発明の属する技術分野】
本発明は、小型軽量樹脂レンズを収納するレンズ収納ケース及び前記レンズを収納したレンズ収納ケースに関する。
【０００２】
【従来の技術】
例えばレーザディスク等の記録・再生に使用するピックアップ用小型軽量樹脂レンズを収納するための収納ケースは、図４（ａ）に示すように、内部にレンズをレンズの径方向に１列に並べて収納可能な筒状部を有する樹脂ケースに収納し、筒状部の両端に栓を挿入してレンズが脱落するのを防止するようにした収納ケースが使用されていた。
【０００３】
【発明が解決しようとする課題】
前述のようなレンズ収納ケースに収納された小型軽量樹脂レンズは、樹脂ケースの筒状部において樹脂レンズと樹脂ケースが摩擦して静電気を帯電し、この静電気による吸着によりレンズをケースから取り出そうとしてもなかなか取り出せないということが生じた。無理に取り出そうとして、例えば細い棒や圧搾空気等を筒状部の片方から入れたりすると、レンズの光学面や他の箇所に疵等を付けたりレンズを飛ばして破損したりし、慎重に取り扱わねばならない非常に精密性が要求されるレーザディスク等のピックアップ用軽量樹脂レンズの取り扱いや管理に問題を残していた。
【０００４】
又、他の光学系用樹脂レンズにおいても、レンズを収納するケースからレンズを取り出すのに同様の静電気による吸着問題が生じていた。
【０００５】
この摩擦による静電気の帯電を防止するために、レンズ収納樹脂ケースのレンズ通過部分に帯電防止剤を塗布しても、塗布や乾燥にコストが掛かり、高湿時には吸湿してベタツキが発生し、かえってレンズの通過を悪くしてしまうということになった。又、樹脂ケースに帯電防止剤を混入する方法では、材料費が高価でケースの透明度が悪くなると言った問題もあった。
【０００６】
本発明は、前記課題を解決するためになされたものである。即ち、レンズ収納ケースへのレンズの出し入れが容易で、且つレンズの光学面や他の箇所に疵等を付けてしまったりすることなく、レンズの取り扱いや管理が容易なレンズ収納ケース及びレンズを収納したレンズ収納ケースを提供することを目的としたものである。
【０００７】
【課題を解決するための手段】
本発明の目的は、下記構成を採ることによって達成される。
【０００８】
即ち、複数の樹脂製のレンズを収納する樹脂製のレンズ収納ケースにおいて、該レンズ収納ケース内面の一方のレンズ光学面側に対する面に設けられ、レンズの光学面以外の面と接触する凸形状のレンズ受けの面、及び該レンズ収納ケース内面の他方のレンズ光学面側のレンズの光学面以外の面と接触する面をマット状面としたことを特徴とするレンズ収納ケース。
【０００９】
更に、前記レンズ収納ケースは、レンズを収納する少なくとも１つの筒状部を有し、前記マット状面は、該筒状部若しくは筒状部の各々の内面に形成されることを特徴とするレンズ収納ケース。
【００１０】
更に、前記マット状面は、深さ１〜１００μｍ、凹凸間隔０．０５〜１ｍｍのマット状面であることを特徴とするレンズ収納ケース。
【００１１】
又、複数の樹脂製のレンズを収納する樹脂製のレンズ収納ケースにレンズを収納したレンズ収納ケースであって、該レンズ収納ケース内面の一方のレンズ光学面側に対する面に設けられ、レンズの光学面以外の面と接触する凸形状のレンズ受けの面、及び該レンズ収納ケース内面の他方のレンズ光学面側のレンズの光学面以外の面と接触する面をマット状面とした収納ケースにレンズを収納したことを特徴とするレンズを収納したレンズ収納ケース。
【００１２】
更に、前記レンズ収納ケースは、レンズを収納する少なくとも１つの筒状部を有し、前記マット状面は、該筒状部若しくは筒状部の各々の内面に形成されることを特徴とするレンズを収納したレンズ収納ケース。
【００１３】
前記マット状面は、深さ１〜１００μｍ、凹凸間隔０．０５〜１ｍｍのマット状面であることを特徴とするレンズを収納したレンズ収納ケース。
【００１４】
【発明の実施の形態】
次に、本発明のレンズ収納ケースの実施の形態を、図１〜図４により詳細に説明するが、本発明は以下に説明する実施の形態に限定されるものではない。
【００１５】
図１はレンズの形状とレンズ収納ケース内面の形状との関係を説明する図で、（ａ）はレンズの一例を示す断面図、（ｂ）はこのレンズを収納するレンズ収納ケースの断面図、（ｃ）はこのレンズ収納ケースにレンズを収納した状態の断面図である。図２はレンズの他の形状とレンズ収納ケース内面の形状との関係を説明する図で、（ａ）はレンズの他の例を示す断面図、（ｂ）はこのレンズを収納するレンズ収納ケースの断面図、（ｃ）はこのレンズ収納ケースにレンズを収納した状態の断面図である。図３はレンズの更に他の形状とレンズ収納ケース内面の形状との関係を説明する図で、（ａ）はレンズの更に他の例を示す断面図、（ｂ）はこのレンズを収納するレンズ収納ケースの断面図、（ｃ）はこのレンズ収納ケースにレンズを収納した状態の断面図である。
【００１６】
図４はレンズ収納ケースへのレンズの収納形態を説明する図で、（ａ）はレンズをレンズの径方向に１列に並べてレンズ収納ケースへ収納した状態の図、（ｂ）は前記（ａ）の状態を３列並べて収納可能なレンズ収納ケースへレンズを収納した状態の図、（ｃ）はレンズを厚み方向に重ねて１列に並べてレンズ収納ケースへ収納した状態の図、（ｄ）は（ｃ）のＸ−Ｘ矢視断面図である。
【００１７】
図１、図４において、本実施の形態のレンズ３は、図示のようにレンズ光学面３０１，３０２がレンズ３の前面側凸部３２の凸部端面３２１や後面側凸部３３の凸部端面３３１より内側に位置している。一方、レンズ受け２１を有するレンズ収納ケース台（以後単にケース台とも言う）２の両側の嵌合部２２には、内側に両側の側壁１１１，１１２、両側の段部１２１，１２２、そして天井部１２３を有するレンズ収納ケースカバー（以後単にケースカバーとも言う）１の両側の嵌合壁１１３が嵌合接着され、図示のような筒状部１０が形成されるようになっている。
【００１８】
このようにレンズ収納ケースは、レンズ３を収納する少なくとも１つの筒状部１０を有していて、この筒状部１０は前述のように構成されている。換言すれば、筒状部１０は、ケースカバー１、ケース台２との上下に分割可能であり、この上下の少なくとも一方は溝状部を有する部材、即ち溝状部を有して上方向に分割可能なケースカバー１並びに下方向に分割可能なケース台２とよりなっている。
【００１９】
このレンズ収納ケースは、上のケースカバー１と下のケース台２とを前述のように嵌合接着して収納ケースを形成するが、この接着は接着剤による接着でも良いが、接合面に設けた該接合面長手方向の三角面嶺における超音波による熔融接着がコスト、品質の上から好ましい。
【００２０】
そして図４（ａ）において、この筒状部１０には前記レンズ３が、前記ケース台２とケースカバー１とにより形成された筒状部１０の端部から順次挿入・収納され、収納が終わると栓４がはめ込まれて、栓４によりレンズ３の脱落が防止されるようになっている。尚、この筒状部１０は複数並べても良く、図４（ｂ）は筒状部１０を３列並べたレンズ収納ケースを示している。このようにすることにより、１個の収納ケースに多数のレンズを収納出来、スペース効率を良くすることが出来る。そして、この筒状部１０にレンズ３が挿入・収納された状態が図１（ｃ）により示されている。
【００２１】
本発明では、レンズ３を収納した際にレンズ３の光学面以外の面と接触する、ケース内面である筒状部１０の少なくとも一部の面を粗面となしているが、本実施の形態ではレンズ受け２１の面、両側の側壁１１１，１１２の面、両側の段部１２１，１２２の面を粗面としており、この粗面は深さ１〜１００μｍ、凹凸間隔０．０５〜１ｍｍの凹凸を有するマット状面である。尚、このマット状の粗面は、ケースカバー１、ケース台２を成形する樹脂型の前記粗面とする面を、ラッピング加工、ショットピーニング加工、エッチング加工、ホーニング加工、サンドブラスト加工等による加工をすることにより可能である。従って、樹脂型の製作には若干の費用はかかることになるが、部品コストには影響はない。
【００２２】
尚、ケースカバー１側の粗面は両側の側壁１１１，１１２の面、両側の段部１２１，１２２の面としているが、これはレンズ３と前記側壁、段部との隙間及びレンズ３や収納ケースの姿勢等の関係により、収納ケースの側壁、段部とレンズ３の外周がランダムに接触するので、接触する可能性のある側壁、段部である両側の側壁１１１，１１２、両側の段部１２１，１２２をマット状面の粗面としている。
【００２３】
このように、前述の各面をこのような値の凹凸面のマット状面とすることにより、レンズ収納ケースがいかなる姿勢であろうとも、レンズ３の前面側凸部３２の外周面、凸部端面３２１、鍔部３１の外周面、後面側凸部３３の凸部端面３３１の各面は、必ず前記値の凹凸面である筒状部１０のマット状面と接触することになる。しかしこの接触は、前記筒状部１０のマット状面が前記値の凹凸面なので点接触となることになり、静電気の発生を大幅に抑制することが出来る。従って、レンズ３と筒状部１０との間の静電気による付着力の発生を大幅に抑制することになる。
【００２４】
そこで、栓４を抜いてレンズ収納ケースを垂直にすれば、レーザディスク等のピックアップ用の軽い樹脂レンズでも、容易に自重により落下させることが出来る。従って、レンズの光学面や他の箇所に疵を付けたり、レンズを圧搾空気により吹き飛ばしたりして破損することなく、レンズの管理上も作業を容易にすることが出来る。そしてこの効果は、レンズ収納ケースの前述の面を前記値の粗面とすることにより、半永久的に持続することが出来る。
【００２５】
図２に示す実施の形態は、レンズ３のレンズ光学面３０２が後面側凸部３３の凸部端面３３１より内側に位置して前述の図１で説明したレンズと同様であるが、レンズ光学面３０１はレンズ３の凸部端面３２１より出っ張っており、図１で説明したケースカバーと同様のケースカバーを使用すると、レンズ３のレンズ光学面３０１が天井部１２３と接触し、レンズ光学面３０１に疵を付けてしまうことになる。そこで、レンズ３の鍔部３１の凸部端面３２１を、両側の段部１２１により抑えるようにした点が、図１の実施の形態と異なっており、他は同じである。
【００２６】
又、図３に示す実施の形態は、レンズは図２で説明したレンズと同じであるが、レンズの厚みが厚く従って鍔部３１が厚く、側壁１１１が嵌合壁１１３となっていて、レンズ受け２１が太い３本の半円柱形状となっている点が、図２の実施の形態と異なっており、他は同じである。
【００２７】
しかし図２、図３で説明した実施の形態も、何れもその構成は図１で説明した実施の形態と同じであり、従ってその作用効果も全く同じである。
【００２８】
そして、レンズ収納ケースの筒状部若しくは筒状部の各々は、レンズ３のレンズ光学面３０１，３０２以外の面と接触する少なくとも１つの面を有しており、例えば図４（ｃ）及び図４（ｃ）のＸ−Ｘ矢視断面図である図４（ｄ）は、レンズ３を厚み方向に重ねて１列に並べ、円筒状の筒状部１０Ａを有する内面が円筒面を形成するケースカバー１Ａ，ケース台２Ａよりなるレンズ収納ケースへ収納した状態の図であり、レンズ光学面３０１，３０２以外の面である鍔部３１の外径と接触する１つの面である円筒面を有しているレンズ収納ケースである。そして、このレンズ収納ケースは図４（ｂ）の場合と同様に、図４（ｃ）の筒状部１０Ａを複数列並べてスペース効率を良くすることも出来る。
【００２９】
更に筒状部１０は、既に説明した図１（ｂ）に示すようにレンズ受け２１の面、両側の側壁１１１，１１２のうちのどちらかの面、そして両側の段部１２１，１２２のうちのどちらかの面の合計５つの接触面を有している。更に又、筒状部１０は、同様に既に説明した図２（ｂ）に示すようにレンズ受け２１の面、両側の側壁１１１の面、そして両側の段部１２１の面の合計５つの接触面を有している。そして更に又、筒状部１０は、同様に既に説明した図３（ｂ）に示すようにレンズ受け２１の面、両側の嵌合壁１１３の面、そして両側の段部１２１の面の合計５つの接触面を有している。
【００３０】
即ち、レンズ収納ケースの筒状部１０，１０Ａ若しくは筒状部１０，１０Ａの各々は、レンズ光学面３０１，３０２以外の面と接触する少なくとも１つの面を有していることになる。そして、これらの面に設けた前述の値の凹凸によるマット状面により、前記効果は維持される。
【００３１】
本発明のレンズ収納ケースは、以上説明したようなレンズ収納ケースであるが、更に前記レンズ収納ケースにレンズを収納したレンズ収納ケースとすることも可能であり、その作用効果も前述の通りである。
【００３２】
【発明の効果】
本発明により、レンズ収納ケースへのレンズの出し入れが容易で、レンズの光学面や他の箇所に疵等を付けてしまったりすることなく、レンズの取り扱いや管理が容易なレンズ収納ケースが提供されることとなった。
【図面の簡単な説明】
【図１】レンズの形状とレンズ収納ケース内面の形状との関係を説明する図である。
【図２】レンズの他の形状とレンズ収納ケース内面の形状との関係を説明する図である。
【図３】レンズの更に他の形状とレンズ収納ケース内面の形状との関係を説明する図である。
【図４】レンズ収納ケースへのレンズの収納形態を説明する図である。
【符号の説明】
１，１Ａ  レンズ収納ケースカバー（ケースカバー）
１０，１０Ａ  筒状部
１１１，１１２  側壁
１１３  嵌合壁
１２１，１２２  段部
１２３  天井部
２，２Ａ  レンズ収納ケース台（ケース台）
２１  レンズ受け
２２  嵌合部
３  レンズ
３０１，３０２  レンズ光学面
３１  鍔部
３２  前面側凸部
３２１，３３１  凸部端面
３３  後面側凸部
【図１】
0004192311.tif 000002
【図２】
0004192311.tif 000003
【図３】
0004192311.tif 000004
【図４】
0004192311.tif 000005